(57)【要約】【課題】  下面の前後方向へ延びるラックギアにモータで回転駆動するピニオンギアが噛合ってスライドすることで出入りするトレイを備えたディスク装置であって、トレイが搬出された場合に自重の作用で下方へ傾かないようにしたディスク装置の提供。【解決手段】  フレーム１６の側壁１７にはトレイ１５のレール部３０をガイドする為のガイドリブ１８を内側へ突出して設け、又正面近傍には基部３９から起立する支持部４０の上端に当接部４１を内側へ突出した押えリブ１９を設け、該押えリブ１９の当接部４１をレール部３０の後端部側に形成した高水平レール部３３に押圧力を付勢して接触するようにする。【選択図】    図９
2007012161.tif 000002
【特許請求の範囲】
【請求項１】
下面の前後方向へ延びるラックギアにモータで回転駆動するピニオンギアが噛合ってスライドすることで出入りするトレイを備えたディスク装置において、フレームの側壁部にはトレイのレール部をガイドする為のガイドリブを内側へ突出して設け、又正面近傍には基部から起立する支持部の上端に当接部を内側へ突出した押えリブを設け、該押えリブの当接部をレール部の後端部側に形成した高水平レール部に押圧力を付勢して接触するようにしたことを特徴とするトレイを備えたディスク装置。
【請求項２】
上記押えリブの支持部を内側へ僅かに傾斜して起立した請求項１記載のトレイを備えたディスク装置。
【請求項３】
下面の前後方向へ延びるラックギアにモータで回転駆動するピニオンギアが噛合ってスライドすることで出入りするトレイを備えたディスク装置において、フレームの側壁部にはトレイのレール部をガイドする為のガイドリブを内側へ突出して設け、トレイのレール部の後端部側を切欠いて撓み変形可能な規制部を形成し、該規制部が上記ガイドリブと係合可能としたことを特徴とするトレイを備えたディスク装置。
【発明の詳細な説明】
【技術分野】
【０００１】
本発明はディスクをセットするトレイであって、該トレイがディスク交換位置へ搬出される際に先端部が下方へ傾くことを防止したディスク装置に関するものである。
【背景技術】
【０００２】
一般的なディスク装置にはトレイが備わっていて、該トレイにディスクがセットされて出し入れすることが出来る。すなわち、突出したトレイにディスクをセットして装置内部へ搬入し、トラバースユニットのターンテーブル上に載置され、逆にターンテーブルに載置されていたディスクはトレイに載せ替えられて搬出される。
【０００３】
図１４は従来のディスク装置を示している平面図であり、トレイ１が搬出されてディスク交換位置にある状態を示している。トレイ１の上面には円形の浅い凹部が形成されていて、該凹部にディスクが嵌ってセットされる。又下面側にはラック２が前後方向に設けられ、該ラックギア２に沿って概略Ｌ型のガイド溝３を設けている。そしてラックギア２にはピニオンギア４が噛み合い、ガイド溝３にはカムロッドボス５が遊嵌している。
【０００４】
上記のピニオンギア４はモータ６にて回転駆動され、該ピニオンギア４が回転することでラックギア２及びトレイ１は後退して装置内へ搬入される。該トレイ１は定められた距離を前進・後退動することで開閉することになるが、概略Ｌ型のガイド溝３はラックギア２と平行を成す縦ガイド溝７とラックギア２に対して垂直を成す横ガイド溝８、及び縦ガイド溝７と横ガイド溝８の間に形成されるコーナーガイド溝９から成っている。又、縦ガイド溝７の後方端部は湾曲して延びている。
【０００５】
従って、トレイ１が搬出されてディスク交換位置へ移動する為に前進する場合、縦ガイド溝７に遊嵌しているカムロッドボス５が湾曲部に差し掛かることでカムロッド１０の動きを検出して該トレイ１は停止する。又トレイ１が搬入されてディスク再生位置へ移動する為に後退する場合、縦ガイド溝７に遊嵌しているカムロッドボス５がコーナーガイド溝９に差し掛かることで、同じくカムロッド１０が移動してトレイ１は停止する。すなわち、ガイド溝３に沿ってカムロッドボス５が動くことで、本体と成るカムロッド１０が移動し、この動きを検出することでトレイ１が停止するように成っている。
【０００６】
特開２００１−２９１３０２号に係る「光ディスク機器などに組み込まれる精度の高いトレイ用スライド機構」は、光ディスク機器やプリンタなどのトレイの引出し量が大きい機器において、トレイを引き出したときにトレイが上下左右に大きく揺らぐことがないスライド機構である。
【０００７】
従来から使用されているガイドに近接させて、トレイの全移動量の半分程度の長さを持つ第２のガイドを敷設し、トレイの出が少ないときは従来のガイドとそれに嵌合摺動するピンを使用し、トレイの出が大きい時は第２のガイドとそれに嵌合摺動するピンを使用するものであり、両者が同時に作用することのないように、スライド量が中間のときに嵌合を切り替えるように構成している。
【０００８】
このスライド機構では、ガイドを２本用意し、３本のピンが同時に嵌合することのないように動作範囲に応じて切り替えている為に、何れのピンにおいても嵌合精度を極限まで高めることが可能と成り、トレイのスライド動作が滑らかで騒音の少ないスライド機構となる。しかし、この機構では左右方向の揺れは防止できるが、トレイが搬出された際に先端部が下方へ傾くことを抑制する効果を得ることは出来ない。さらに、従来のガイドに加えてトレイの全移動量の半分の長さを持つ第２ガイドを備える為に、トレイの搬入・搬出時の摺動摩擦のともなう余分な動力が必要と成り、トレイ駆動用として大きなモータが必要になる。
【特許文献１】特開２００１−２９１３０２号に係る「光ディスク機器などに組み込まれる精度の高いトレイ用スライド機構」
【発明の開示】
【発明が解決しようとする課題】
【０００９】
このように、従来のトレイを備えたディスク装置には上記のごとき問題がある。本発明が解決しようとする課題はこの問題点であり、トレイが搬出された場合に先端部が自重によって傾くことがないようなガイド手段を備えたディスク装置を提供する。
【課題を解決するための手段】
【００１０】
本発明に係るディスク装置はトレイを備え、該トレイにディスクを載置して搬入・搬出することが出来、そして搬出した際に該トレイの先端側が自重によって傾かないようにガイド手段を備えている。そこで、トレイの両側にはレール部を形成し、フレーム(筐体)には上記レール部を保持する為のガイドリブを複数箇所に設けている。
【００１１】
そして、トレイの両側に形成するレール部は２段階の高さを有し、低水平レール部と高水平レール部から成り、両レール部は傾斜レール部にて連接されている。又、フレームの正面側近傍には、該フレームの側面より内側に突出した押えリブを設け、トレイの高水平レール部に接してトレイの傾きを防止することが出来る。ここで、押えリブはフレームの側面より内側へ延出した基部と、基部の先端より上方に起立する支持部、そして支持部の先端よりフレーム内側へ延びる当接部から成っている。
【００１２】
該当接部はトレイが搬出して高水平レール部に差し掛かることで接することが出来、しかも、当接部との摺動摩擦によって余分な負荷が発生しないように、基部と支持部との連結部位を支点として上記当接部が高水平レール部から離れる方向に支持部が撓み変形することが出来る構造と成っている。一方、上記押えリブの代わりにトレイのレール部を一部切り離し、撓み変形可能とした規制部を形成することも可能である。すなわち、レール部の後方を一部切り離して上方へ撓んだ状態の規制部を設け、この規制部が当接する当接部をフレームの側面より内側へ延出した構造とすることも出来る。
【発明の効果】
【００１３】
本発明に係るディスク装置は、トレイが搬出されて重心位置がフレームの正面を通過して、ガイドリブが外れる前に押えリブがレール部に当接する為に、該トレイの先端が傾斜することはない。そして、トレイに形成したレール部の前方を低水平レール部、後方を高水平レール部とすることで、トレイが搬出して傾き始める時に押えリブが高水平レール部に当接するような構造と成っている。すなわち、低水平レール部では接触することはなく、その為に押えリブを設けることに伴うトレイの搬送移動動力は必要以上に大きくならない。
【００１４】
さらに、スライドするトレイの高水平レール部に押えリブが接触する場合において、滑り摩擦に基づく過剰な負荷が作用することを防止する為に、押えリブの当接部が離れる方向へ支持部を撓み変形可能な構造としている。このように、トレイの傾きを防止することで、該トレイ底面に設けているラックギアと駆動伝達機構であるピニオンギアとの噛合いが安定する。そして、高水平レール部と低水平レール部はトレイと共に一体成形され、又押えリブもフレームと共に一体成形されるために、生産コストが高くなることはない。
【実施例】
【００１５】
図１はディスク装置を収容した製品の外観図を示し、キャビネット１１の正面にはフロントパネル１２が取付けられ、該フロントパネル１２の中央にはトレイが出入する開口部１３が形成され、又開口部１３の隣には操作ボタン１４ａ，１４ｂ・・が取付けられている。上記開口部１３には一般に開閉ドアが取付けられ、トレイが装置内に搬入されている場合には開閉ドアが開口部１３を閉じることが出来る。
【００１６】
図２は本発明に係るディスク装置の平面図を表している。同図はトレイ１５が装置内に搬入されている状態であり、フレーム１６の両側に設けている側壁１７，１７にはガイドリブ１８，１８・・が設けられ、トレイ１５は側壁１７，１７の近傍に設けているガイドレール及びガイドリブ１８，１８・・をガイドとしてスライドすることが出来る。そして、フレーム１６の側壁１７，１７には押えリブ１９，１９が正面側近傍に設けられている。このディスク装置は前記図１に示すキャビネット１１の内部に取付けられ、トレイ１５はフロントパネル１２の開口部１３から出入することが出来る。
【００１７】
図３は上記トレイ１５を取外した状態でのディスク装置の平面図を表している。同図の２０はトレイ１５によって搬入されたディスクを載せて回転するターンテーブル、２１はターンテーブル２０に載って回転するディスクが外れないようにクランプする為のクランパを示している。そして、ディスクに記録されている情報を読取る為のピッアップユニット２２は両ガイドシャフト２３，２３をガイドとして移動することが出来、これらピックアップユニット２２、ターンテーブル２０はシャーシ２４に取付けられてトラバースユニットを構成している。
【００１８】
又、トレイ１５を搬送する為のモータが設けられ、該モータ主軸に取着しているプーリ２５が動力伝達機構２６を介してピニオンギア２７を駆動し、該ピニオンギア２７がトレイ１５の下面に設けているラックギアと噛み合うことが出来る。ただし、図３に示す本発明のディスク装置はあくまでも１具体例に過ぎない。
【００１９】
図４はトレイ１５を表す具体例であり、先端部側の中央部にはディスクが載置される凹部２８ａ，２８ｂが形成され、又中央部には長方形の貫通穴２９が設けられている。この貫通穴２９にピックアップユニット２２が位置して、ディスクの回転に伴ってガイドシャフト２３，２３に沿って移動することが出来る。そして、該トレイ１５の両側にはレール部３０，３０が設けられ、該レール部３０は先端側(正面側)から低水平レール部３１、傾斜レール部３２、高水平レール部３３が連続して形成され、これら各レール部はトレイ１５と共に一体成形されている。
【００２０】
図５はディスク装置の側面図を表しているが、(ａ)はトレイ１５が搬出されてディスク交換位置にある場合、(ｂ)は装置内部に搬入されている場合を表している。(ａ)に示すように搬出されたトレイ１５にはディスクが載置され、(ｂ)のように、トレイ１５が搬入されるならば、シャーシ２４にターンテーブル２０やピックアップユニット２２などを装着しているトラバースユニット３４が上昇してトレイ１５に載っているディスクはターンテーブル２０に載り、クランパ２１にてクランプされる。
【００２１】
図６はフレーム１６の正面側側壁１７の一部を表している。側壁１７にはガイドリブ１８，１８が内面から突出して設けられ、ガイドリブ１８の下面３５はトレイ１５のレール部３０が接触するガイド面と成る。又、フレーム１６の底部３６と側壁１７とのコーナーに形成している基台３７にはガイドレール３８が形成されている。さらに、側壁１７及び底部３６の一部を切欠いて押えリブ１９が設けられている。
【００２２】
図７は上記押えリブ１９を表している。押えリブ１９は底部３６と同一面を成す基部３９、該基部３９の先端から垂直に起立する支持部４０、そして支持部先端から内側へ突出している当接部４１から成っている。ここで、支持部４０は基部３９を中心として撓み変形することが出来、その為に当接部４１の高さは僅かに変わり得る。そして、時には支持部４０を基部３９に対して垂直上方へ立ち上げることなく、内側へ僅かに傾斜した状態で起立することもある。
図８は押えリブ１９の支持部４０が斜め内側へ傾いて起立している場合を表し、同図の(ｂ)は図８(ａ)のＡ部拡大図である。そして、この押えリブ１９にトレイ１５のレール部３０が係合している場合を図９に示している。図９(ａ)のＢ部拡大図を(ｂ)に示すように、トレイ１５の両側部に設けているレール部３０は基台３７に載り、そしてレール部３０の下側に形成しているガイド溝４２には基台３７の上面に起立して設けられるガイドレール３８が嵌っている。従って、トレイ１５は基台３７に載った状態で左右方向の位置決めがなされ、押えリブ１９の当接部４１がトレイ１５の上面に接している為に、浮上することもない。
【００２３】
図９(ｂ)に示すように、押えリブ１９の支持部４０が湾曲している。支持部４０は前記図８に示しているように内側へ傾斜した状態で起立している為に、トレイ１５がスライドして高水平レール部３３に差し掛かるならば、当接部４１が接することで基部３９を中心として撓み変形して同図のように湾曲する。その結果、湾曲に伴う弾性力が高水平レール部３３の上面に作用することで、該トレイ１５を上方から押圧する力が働く。
【００２４】
図１０〜図１３はトレイ１５の搬出状態を表し、図１０はトレイ１５が記録再生位置に搬入されている場合、図１１はトレイ１５が僅かに搬出した場合、図１２はトレイ１５が約１／２程搬出した場合、図１３はトレイ１５がディスク交換位置まで搬出された状態を示している。
【００２５】
図１０ではトレイ１５はディスク再生位置まで搬入されているが、この状態では押えリブ１９はトレイ１５のレール部３０に接していない。ただし、２箇所のガイドリブ１８ａ，１８ｂはレール部３０に接触又は近接しており、トレイ１５が浮上することはない。図１１に示すように、トレイ１５が僅かに搬出した場合も同じく、押えリブ１９の当接部４１はレール部３０に接しておらず、ガイドリブ１８ａ，１８ｂが近接している。
【００２６】
図１２はトレイ１５が約１／２程度搬出した状態であり、トレイ１５の重心はフレーム１６からはみ出している。従って、トレイ先端部が降下して傾斜することを防止する為に、押えリブ１９はトレイ１５のレール部３０に係合している。すなわち、押えリブ１９の当接部４１はトレイ１５のレール部３０、特に高水平レール部３３(図４参照)に当ってトレイ１５の傾きを防止することが出来る。
【００２７】
押えリブ１９を挟んで前後位置にあるガイドリブ１８ｃ，１８ｄの下面３５，３５も高水平レール部３３に近接している。ただし、押えリブ１９は支持部４０が撓み変形することで弾性力が高水平レール部３３に作用し、トレイ１５の傾きが防止される。図１３はディスク交換位置まで搬出された場合であり、トレイ１５の傾きを防止する為に押えリブ１９の当接部４１が高水平レール部３３に弾性力を付勢した状態で接している。
【図面の簡単な説明】
【００２８】
【図１】ディスク装置を収容した製品の外観図。
【図２】ディスク装置の平面図。
【図３】トレイを取外したディスク装置の平面図。
【図４】トレイの外観図。
【図５】(ａ)はトレイが搬出しているディスク装置の断面図、(ｂ)はトレイが搬入されているディスク装置の断面図。
【図６】フレームの正面側の部分詳細図。
【図７】フレーム側壁部に設けている押えリブ。
【図８】押えリブが位置するフレーム断面図。
【図９】トレイに押えリブが係合している場合の断面図。
【図１０】トレイが搬入状態の平面図。
【図１１】トレイが僅かに搬出された状態。
【図１２】トレイが約１／２程度搬出された状態。
【図１３】トレイがディスク交換位置まで搬出された状態。
【図１４】従来のディスク装置。
【符号の説明】
【００２９】
11  キャビネット
12  フロントパネル
13  開口部
14  操作ボタン
15  トレイ
16  フレーム
17  側壁
18  ガイドリブ
19  押えリブ
20  ターンテーブル
21  クランパ
22  ピッアップユニット
23  ガイドシャフト
24  シャーシ
25  プーリ
26  動力伝達機構
27  ピニオンギア
28  凹部
29  貫通穴
30  レール部
31  低水平レール部
32  傾斜レール部
33  高水平レール部
34  トラバースユニット
35  下面
36  底部
37  基台
38  ガイドレール
39  基部
40  支持部
41  当接部
42  ガイド溝
【図１】
2007012161.tif 000003
【図２】
2007012161.tif 000004
【図３】
2007012161.tif 000005
【図４】
2007012161.tif 000006
【図５】
2007012161.tif 000007
【図６】
2007012161.tif 000008
【図７】
2007012161.tif 000009
【図８】
2007012161.tif 000010
【図９】
2007012161.tif 000011
【図１０】
2007012161.tif 000012
【図１１】
2007012161.tif 000013
【図１２】
2007012161.tif 000014
【図１３】
2007012161.tif 000015
【図１４】
2007012161.tif 000016